(57)【特許請求の範囲】
【請求項１】
光ケーブル通信線の外線と内線とを挿通するケーブル挿通部を備え、光ケーブル通信線の外線と内線との成端処理をするための成端キャビネットであって、光ケーブル通信線は光ケーブル芯線と、光ケーブル芯線を保護する保護線、およびその保護線を被覆する被覆層とから構成され、ケーブル挿通部は成端キャビネットのキャビネット本体から延設され、光ケーブル通信線が複数挿通可能な中央溝と、中央溝を挟んで被覆層に覆われた保護線が複数挿通可能なガイド溝と、ガイド溝に形成されたエッジである抜け止め手段とを有し、
前記ガイド溝は、前記キャビネット本体の一側面からキャビネット内部へ向かって逆Ｌ字状でかつ外部と連通するように形成され、前記ガイド溝の外壁は前記キャビネット本体から延設される第１ガイド延設片と第２ガイド延設片とからなり、被覆層に覆われた保護線を曲げ戻して抜け止め手段であるエッジに食い込ませることにより、前記中央溝に差し込まれる光ケーブル通信線と前記ガイド溝に差し込まれ曲げ戻された被覆層に覆われた保護線とが抜け止め手段によりケーブル挿通部に引き止められることを特徴とする光ケーブル通信線の成端キャビネット。
【請求項２】
請求項１記載の光ケーブル通信線の成端キャビネットにおいて、ケーブル挿通部の中央溝は光ケーブル通信線の最大径が挿通可能であることを特徴とする光ケーブル通信線の成端キャビネット。
【請求項３】
請求項１又は２記載の光ケーブル通信線の成端キャビネットにおいて、キャビネット本体の内部には、成端処理を取り付けるための支持部と、光ケーブル通信線の余長部分を巻取る巻き取り部と、光ケーブル通信線を誘導する誘導部とを有する成端ユニットが設置されることを特徴とする光ケーブル通信線の成端キャビネット。
【発明の詳細な説明】
【０００１】
【発明の属する技術分野】
本発明は、光ケーブル通信線の外線と内線との成端処理を取り付けるための成端キャビネットに関する。
【０００２】
【従来の技術】
一般に従来技術による成端キャビネットは、光ケーブル通信線１０の外線と内線との成端処理を収納するキャビネット本体１５０と、このキャビネット本体１５０を覆うカバー体（図省略）とから構成される。また、成端キャビネットは、外線から引き込まれる光ケーブル通信線１０と内線に引き込まれる光ケーブル通信線１０とをキャビネット本体１５０の内部に挿通させ、位置決めするために、キャビネット本体１５０の下方両端部に図７に示すように、ケーブル挿通部１４０が設けられている。
【０００３】
ケーブル挿通部１４０は、光ケーブル通信線１０を固着させるためのもので、楔形状の挿通基部１４１がキャビネット本体１５０に一体に設けられており、この挿通基部１４１と嵌合する形状を有する楔駒部１４５とが着脱自在となるよう設けられている。
【０００４】
楔駒部１４５は、第１楔駒部１４６と第２楔駒部１４７とから構成され、これら対向する面の中央部に光ケーブル通信線１０が挿通する挿通溝１４８が軸方向にそれぞれ設けられている。光ケーブル通信線１０を一方の挿通溝１４８に挿通した状態で、第１楔駒部１４６と第２楔駒部１４７とを合体させ、光ケーブル通信線１０を挟み込み、楔駒部１４５の楔面１４６１、１４７１を挿通基部１４１に嵌め込むことにより、光ケーブル通信線１０をキャビネット本体１５０に固着させていた。
【０００５】
しかし、挿通溝に複数本の光ケーブル通信線を挿通することは困難であった。
【０００６】
挿通溝の径より小径の光ケーブル通信線は、挿通できても固着力がなく、成端キャビネット内部に光ケーブル通信線を挿通させ、位置決めすることは困難であった。
【０００７】
また、光ケーブル通信線を固着させるための専用部品や工具等を用いて作業しなければならず、作業工程が多く、コストもかかっていた。
【０００８】
さらに楔駒部は、成端キャビネットとは個別に構成されていたため、取扱い難く、紛失するおそれがあった。
【０００９】
【発明が解決しようとする課題】
本発明は上記事情に対応してなされた発明であり、成端キャビネット内部に複数本の光ケーブル通信線を挿通させるとともに異径の光ケーブル通信線を固着させることのできる光ケーブル通信線の成端キャビネットを提供することを目的とする。
【００１０】
また、光ケーブル通信線を固着させるための専用部材や工具等を一切使用することない光ケーブル通信線の成端キャビネットを提供することを目的とする。
【００１１】
【課題を解決するための手段】
上述の課題を考慮して、本発明は次のような手段を採用する。
【００１２】
すなわち、請求項１では、光ケーブル通信線の外線と内線とを挿通するケーブル挿通部を備え、光ケーブル通信線の外線と内線との成端処理をするための成端キャビネットであって、光ケーブル通信線は光ケーブル芯線と、光ケーブル芯線を保護する保護線、およびその保護線を被覆する被覆層とから構成され、ケーブル挿通部は成端キャビネットのキャビネット本体から延設され、光ケーブル通信線が複数挿通可能な中央溝と、中央溝を挟んで被覆層に覆われた保護線が複数挿通可能なガイド溝と、ガイド溝に形成されたエッジである抜け止め手段とを有し、前記ガイド溝は、前記キャビネット本体の一側面からキャビネット内部へ向かって逆Ｌ字状でかつ外部と連通するように形成され、前記ガイド溝の外壁は前記キャビネット本体から延設される第１ガイド延設片と第２ガイド延設片とからなり、被覆層に覆われた保護線を曲げ戻して抜け止め手段であるエッジに食い込ませることにより、前記中央溝に差し込まれる光ケーブル通信線と前記ガイド溝に差し込まれ曲げ戻された被覆層に覆われた保護線とが抜け止め手段によりケーブル挿通部に引き止められることを特徴とする。
【００１３】
この手段では、光ケーブル通信線専用の引き止め部材や工具等が不要とされる。また、光ケーブル通信線が複数挿通される。
また、曲げ戻された被覆層に覆われた保護線がエッジに食い込むことにより、光ケーブル通信線の抜け止めが確実に防止される。
【００１４】
請求項２では、請求項１記載の光ケーブル通信線の成端キャビネットにおいて、ケーブル挿通部の中央溝は光ケーブル通信線の最大径が挿通可能であることを特徴とする。
【００１５】
この手段では、異径の光ケーブル通信線が挿通される。
【００１６】
請求項３では、請求項１又は２記載の光ケーブル通信線の成端キャビネットにおいて、キャビネット本体の内部には、成端処理を取り付けるための支持部と、光ケーブル通信線の余長部分を巻取る巻取り部と、光ケーブル通信線を誘導する誘導部とを有する成端ユニットが設置されることを特徴とする。
【００１７】
この手段では、キャビネット本体の内部で光ケーブル通信線の成端が処理される。
【００１８】
【発明の実施の形態】
以下、本発明の実施の形態について、図面に基づいて説明する。図１は実施の形態のキャビネット本体内部の斜視図、図２は実施の形態のケーブル挿通部の拡大斜視図、図３は実施の形態の光ケーブル通信線の挿通状態を示す拡大斜視図、図４は実施の形態のＡ−Ａ線断面図、図５は実施の形態の拡大正面図、図６R>６は実施の形態の成端キャビネットに保安器ユニットを並置させた場合の正面図である。なお、従来例と同義のものには同じ符号を付し、詳細な説明は省略する。
【００１９】
本発明の光ケーブル通信線１０の成端キャビネット１００は、光ケーブル通信線１０の外線と内線とを挿通するケーブル挿通部１４０を備え、光ケーブル通信線１０の外線と内線との成端処理をするための成端キャビネット１００であって、光ケーブル通信線１０は光ケーブル芯線１２と、光ケーブル芯線１２を保護する保護線１３とから構成され、ケーブル挿通部１４０は成端キャビネット１００のキャビネット本体１５０から延設され、光ケーブル通信線１０が複数挿通可能な中央溝１４１と、中央溝１４１を挟んで保護線１３が複数挿通可能なガイド溝１４２と、ガイド溝１４２に設けられる抜け止め手段とを有し、保護線１３を曲げ戻して中央溝１４１に差し込まれる光ケーブル通信線１０とガイド溝１４２に差し込まれ曲げ戻された保護線１３とが抜け止め手段によりケーブル挿通部１４０に引き止められる構成である。
【００２０】
また、キャビネット本体１５０の内部には、光ケーブル通信線１０の成端手段２０を取り付ける成端ユニット４０が収納されるホルダ体１６０がキャビネット本体１５０から着脱自在に設けられている。ホルダ体１６０の内部には、成端手段２０を取り付けるための支持部１１０と、光ケーブル通信線１０の余長部分１１を巻取る巻取り部１２０と、光ケーブル通信線１０を誘導する誘導部１３０とを有する成端ユニット４０が設置される概略構成である。
【００２１】
光ケーブル通信線１０は、ホルダ体１６０内部へ挿通される光ケーブル芯線１２と、中央配置された光ケーブル芯線１２を保護する保護線１３と、これらを被覆する被覆層１４とから構成され、光ケーブル通信線１０の軸方向に沿って、切り欠き部１５を有するものである。
【００２２】
保護線１３は、光ケーブル芯線１２を挟んで左右に設けられるものであり、光ケーブル芯線１２を外部接触から防止するものである。保護線１３の径Ｌ４は、光ケーブル芯線１２の径Ｌ３より大なる径であることが望ましい。実施の形態では、保護線１３の径が０．４ｍｍの保護線を使用し、光ケーブル芯線１２の径が０．２５ｍｍの光ケーブル芯線を使用している。
【００２３】
ホルダ体１６０は、箱形状であり、例えば、キャビネット本体１５０と略同形状を有する構成である。素材としては、ポリエチレン製を適用する。またホルダ体１６０の下方の左右２箇所には、光ケーブル芯線１２を内部へ挿入させるための挿入口１６００が設けられている。さらにホルダ体１６０は、蓋体１６２と、キャビネット本体１５０に収納されるトレイ１６１とから構成される。
【００２４】
蓋体１６２は、蓋体１６２の片端に設けられたヒンジ部１６７によってトレイ１６１から開閉自在となるよう設けられる。また、蓋体１６２は、蓋体１６２の中央両端に設けられたプレート穴部１６４と、蓋体１６２の中央に設けられ、トレイ体１６１の中央に突設されるガイド用突片１３１と略同形状を有する嵌合穴部１６５と、トレイ１６１の片端側面１６６に突設される突部１６９と嵌合するために設けられた食い込み部１６８から構成される。
【００２５】
ケーブル挿通部１４０は、光ケーブル通信線１０の外線と内線とを挿通し光ケーブル通信線１０を引き止めるためのものであり、トレイ１６１の下方に左右２箇所に設けられている。ケーブル挿通部１４０は、キャビネット本体１５０より延設される第１延設片１４３０と第２延設片１４３１との間に中央溝１４１と、この中央溝１４１を挟んで左右にガイド溝１４２とが形成される構成である。
【００２６】
中央溝１４１は、内線側および外線側の光ケーブル通信線１０が複数挿通できるよう設けられた溝である。また中央溝１４１の溝深Ｈは光ケーブル通信線１０の径Ｌ２より大なる溝深に設けられている。さらに中央溝１４１の溝幅Ｗ１は、光ケーブル通信線の最大径Ｌ１が挿通できる程度に設けられている。
【００２７】
ガイド溝１４２は、中央溝１４１と同深で、中央溝１４１を挟んで対称配置されている。また、ガイド溝１４２は、例えばキャビネット本体１５０の一側面からキャビネット内部へ向かって逆Ｌ字状を有する溝である。さらに、実施の形態では、逆Ｌ字状のガイド溝１４２に沿って、キャビネット本体１５０から延設される第１ガイド延設片１４９０と第２ガイド延設片１４９１とが中央溝１４１を挟んで左右対称に設けられている。対向する第１および第２の延設片１４９０、１４９１は、中央溝１４１の溝幅Ｗ１と同程度の間隙１４９２を有している。
【００２８】
またガイド溝１４２の溝幅Ｗ２は、曲げ戻された保護線１３とその保護線１３を被覆する被覆層１４が挿通できる程度の幅を有している。
【００２９】
さらにガイド溝１４２は、抜け止め手段を有している。
【００３０】
抜け止め手段は、光ケーブル通信線１０がケーブル挿通部１４０から抜け落ちることを防止し、キャビネット内部への引き止めを保持するための手段である。抜け止め手段は、例えばガイド溝１４２の内側に形成されるエッジ１４２０である。
【００３１】
エッジ１４２０は、第１延設片１４３０及び第２延設片１４３１に設けられ、光ケーブル通信線１０を曲げ戻した場合の内側部分と接触する角である。
【００３２】
次に上記構成によるケーブル挿通部１４０に光ケーブル通信線１０を挿通させ、固着させるための説明をする。
【００３３】
まず、図３に示すように、光ケーブル通信線１０の切り欠き部１５から被覆層１４を左右に切裂き、光ケーブル芯線１２を露出させる。
【００３４】
次に、左右に引き裂かれ、被覆層１４に覆われた保護線１３を曲げ戻し、この状態を保持する。
【００３５】
そして、上記状態のまま、光ケーブル通信線１０は中央溝１４１へ差し込み、被覆層１４に覆われた保護線１３はガイド溝１４２に沿って差し込む。このとき、ガイド溝１４２の内側に設けられたエッジ１４２０が曲げ戻され、被覆層１４に覆われた保護線１３を曲げ戻された状態のまま引き止めることが可能となる。このとき、光ケーブル芯線には、押し付け力等の外力は一切かからない。
【００３６】
例えば外部からの衝撃等によって、光ケーブル通信線１０に下方軸方向の引張力Ｆ１が加わった場合には、被覆層１４に覆われた保護線１３は、図５に示すようにケーブル挿通部１４０中央に向かって力Ｆ２がかかり、結果として、被覆層１４に覆われた保護線１３がエッジ１４２０に食い込まれる。これにより、光ケーブル芯線に押し付け力等の外力を一切与えることなくケーブル挿通部１４０にひきとめることができるという通常の挿通状態場合のみならず、外部からの衝撃等によって光ケーブル通信線１０に引張力Ｆ１が加わった状態の場合も光ケーブル通信線１０をキャビネット本体１５０の内部に固着させることが可能となる。
【００３７】
光ケーブル芯線１２は、中央溝１４１から間隙１４９２を挿通後、トレイ１６１下方に設けられた挿通口１６００を通って、キャビネット内部に挿通される。
【００３８】
支持部１１０は、キャビネット本体１５０の中程の側面寄りで、両側に配置されており、どちらかを選択することができる。
【００３９】
１つの支持部１１０は、ガイド溝１１１とガイド溝１１１の片端に突起部１１２が設けられて構成されている。ガイド溝１１１には、成端手段２０のアダプタ２３のプレート部２４が差し込まれ保持固定される。アダプタ２３には、コネクタ２１、２２が装着され、外線側から引き込まれる光ケーブル通信線１０と加入者側に引き込まれる光ケーブル通信線１０とが成端されている。
【００４０】
巻き取り部１２０は、光ケーブル通信線１０がよれや折れ曲がり無く巻回できる構造であり、隔壁１２１と複数の突起とを備えている。
【００４１】
隔壁１２１は、光ケーブル通信線１０が何周回と巻回できるよう、光ケーブル通信線１０の曲径半径を維持できるほどの一定間隔を有し、内周側から外周側へ向かって何重かに設けられた構成である。
【００４２】
複数の突起は、収納される光ケーブル通信線１０がトレイ１６１の内部から逸脱しないよう設けられた突起であり、トレイ１６１の外周側から水平方向に立設され内周側に向かって設けられた第１突起１２２と、トレイ１６１の内周側から水平方向に立設され外周側に向かって設けられた第２突起１２３とから構成される。第１突起１２２は、トレイ１６１の側面１６６および隔壁１２１に設けられ、第２突起１２３は誘導部１３０に設けられる。
【００４３】
誘導部１３０は、トレイ１６１の内部で巻回される光ケーブル通信線１０のねじれやよれを防止し、効率よく収納するため設けられたガイド用突片１３１であり、トレイ１６１の中央に突設され、例えば、略楕円形状を有する。図中では、誘導部１３０はトレイ１６１の中央の上下に２つ並設されている。
【００４４】
このように構成された成端キャビネット１００を用いた取り付け方法について説明する。なお、以下の手順は一例であり、その他の手順で行ってもよいことは言うまでもない。
【００４５】
まず、キャビネット本体１５０にホルダ体１６０を嵌め込む。
【００４６】
次に、蓋体１６２を開け、光ケーブル通信線１０の保護線１３を曲げ戻し、光ケーブル芯線１２を露出させる。光ケーブル通信線１０はケーブル挿通部１４０の中央溝１４１へ差し込み、曲げ戻された保護線１３はガイド溝１４２に差し込む。光ケーブル芯線１２の挿通と光ケーブル通信線１０の抜け止めとを行う。
【００４７】
光ケーブル芯線１２は、中央溝１４２から間隙１４９２を挿通後、挿通口１６００を挿通し、キャビネット内部に挿通される。
【００４８】
なお、曲げ戻された２本の保護線１３の余長部分１３ａは、各々をねじり合わせてキャビネット本体１５０のメタル挿通溝１５３１に挿通させ、アース接続される。
【００４９】
次に、光ケーブル通信線１０の余長部分１１を巻き取り部１２０に巻回する。巻き取り部１２０は、隔壁１２１と第１および第２突起１２２、１２３によって適度なスペースが確保されているため、そのスペースに光ケーブル通信線１０の余長部分１１を落とし込むように巻回する。また誘導部１３０が、光ケーブル通信線１０の巻回をガイドし、よれやねじれを防止する。これにより、余長部分１１に無理な力を加えることなく巻回処理が行われる。
【００５０】
次に、光ケーブル通信線１０の余長部分１１の端部をコネクタ２１側に装着する。そして、コネクタ２２側には、他方の光ケーブル通信線１０の一端を装着し、他端は上述と同様に残ったケーブル挿通部１４０から外部に引き出される。そして、これらコネクタ２１、２２をアダプタ２３に装着し、光ケーブル通信線１０の成端を行う。そして、アダプタ２３のプレート部２４を支持部１１０のガイド溝１１１に差し込む。これによりアダプタ２３の固定が完了する。
【００５１】
また、ここでさらに蓋体１６２に、保安器ユニット３０を並置させることも可能である。保安器ユニット３０の取り付け方法を以下に説明する。
【００５２】
まず、蓋体１６２に接地板３１を取り付ける。接地板３１は、雌嵌入部３２０とキャビネット本体１５０の嵌入穴１５２２とをねじ３２でねじ止めすることより固定する。
【００５３】
同時に、接地板３１の雌ねじ部３１０に保安器ユニット３０をねじ３３でねじ止めする。メタル通信線３５を保安器ユニット３０の端子３４に接続し、接地板３１の中央のアース穴３３０にアース端子３６を取り付ける。メタル通信線３５およびアース端子３６の配線３９は、キャビネット本体１５０のメタル挿通溝１５３１に引き込まれる。
【００５４】
これにより、成端ユニット４０と保安器ユニット３０との取り付けが完了する。
【００５５】
次に、蓋体１６２を閉め、カバー体（図省略）をキャビネット本体１５０に装着する。カバー体とキャビネット本体１５０は、側方外周の適切な位置に設けられた装着部等により、位置決めされ装着され、成端キャビネット１００が構成される。以上により、成端キャビネット１００の取り付けが完了する。
【００５６】
本発明の実施の形態における光ケーブル通信線は、単線の光ケーブル芯線を使用したが、例えば、２線や多数線の光ケーブル芯線を有するものにも適用される。
【００５７】
【本発明の効果】
以上詳述してきたように、本発明は、成端キャビネット内部に複数本の光ケーブル通信線を挿通できるとともに異径の光ケーブル通信線を固着させることができるという優れた効果を有する。
【００５８】
また、光ケーブル芯線に押し付け力等の外力を一切与えることなく、ケーブル挿通部に引きとめることができるという優れた効果を有する。
【００５９】
さらに、専用部材や工具が不要であるという優れた効果も有する。
【図面の簡単な説明】
【図１】実施の形態のキャビネット本体内部の斜視図である。
【図２】実施の形態のケーブル挿通部の拡大斜視図である。
【図３】実施の形態の光ケーブル通信線の挿通状態を示す拡大斜視図である。
【図４】実施の形態のＡ−Ａ線断面図である。
【図５】実施の形態の拡大正面図である。
【図６】実施の形態の成端キャビネットに保安器ユニットを並置させた場合の正面図である。
【図７】従来例のケーブル挿通部の拡大斜視図である。
【符号の説明】
１００    成端キャビネット
１１０    支持部
１１１    ガイド溝
１１２    突起部
１２０    巻き取り部
１２１    隔壁
１２２    第１突起
１２３    第２突起
１３０    誘導部
１３１    ガイド用突起
１４０    ケーブル挿通部
１４１    中央溝
１４２    ガイド溝
Ｈ    溝高
Ｗ１，Ｗ２    溝幅
１４３０    第１延設片
１４３１    第２延設片
１４９０    第１ガイド延設片
１４９１    第２ガイド延設片
１４５    楔駒部
１４６    第１楔駒部
１４７    第２楔駒部
１４６１    楔面
１４７１    楔面
１４８    挿通溝
１５０    キャビネット本体
１５３１    メタル挿通溝
１６０    ホルダ体
１６００    挿通口
１６１    トレイ
１６２    蓋体
１６４    プレート穴部
１６５    嵌合穴部
１６６    側面
１６７    ヒンジ部
１６８    食い込み部
１６９    突部
１０    光ケーブル通信線
Ｌ１    光ケーブル通信線の最大径
Ｌ２    光ケーブル通信線の径
１１    余長部分
１２    光ケーブル芯線
Ｌ３    光ケーブル芯線の径
１３    保護線
１３ａ    保護線の余長部分
Ｌ４    保護線の径
１４    被覆層
２０    成端手段
２１、２２    コネクタ
２３    アダプタ
２４    プレート部
【図１】
0003851573.tif 000002
【図２】
0003851573.tif 000003
【図３】
0003851573.tif 000004
【図４】
0003851573.tif 000005
【図５】
0003851573.tif 000006
【図６】
0003851573.tif 000007
【図７】
0003851573.tif 000008